(57)【要約】【課題】隅部や谷部において軒先の出寸法調整を容易に行いうる新規な軒先構造を提供し、屋根施工の効率化を図る。【解決手段】本発明の軒先構造は、軒桁１等の出隅角部Ａと建物本体側の束材６等との間に隅木２が斜めに架設し、この隅木２の下端部を出隅角部Ａよりも軒先側に突出しないようにして出隅角部Ａに連結した後、この隅木２の下端部に、軒先部分の屋根荷重を支持する軒隅木２０を、隅木２の延長方向に連結するものである。軒隅木２０は、隅木２と同幅の断面寸法を有する主材２１と、その両側面に添着された添材２２とからなり、各添２２材は主材２１よりも建物本体側に延出されて、この延出部分が隅木２の両側面にビスまたは釘で固定される。【選択図】図２
2004225301.tif 000002
【特許請求の範囲】
【請求項１】
軒桁またはこれに類する横架材と、建物本体側の棟木、棟束、小屋束、柱またはこれらに類する構造材との間に隅木が斜めに架設され、この隅木の下端部が前記軒桁または前記横架材に連結されるとともに、
この隅木の下端部には、軒先部分の屋根荷重を支持する軒隅木が、前記隅木の延長方向に連結されたことを特徴とする隅部の軒先構造。
【請求項２】
軒隅木は、隅木と同幅の断面寸法を有する主材と、この主材の両側面にそれぞれ添着された添材とからなり、各添材は主材よりも建物本体側に延出されて、この延出部分が隅木の各側面に重合した状態で隅木に対しビスまたは釘で固定されるとともに、
主材の天端と隅木の天端とが平帯状の補強金物を介して連結されたことを特徴とする請求項１に記載の隅部の軒先構造。
【請求項３】
軒桁またはこれに類する横架材と、建物本体側の棟木、棟束、小屋束、柱またはこれらに類する構造材との間に谷木が斜めに架設され、この谷木の下端部が前記軒桁または前記横架材に連結されるとともに、
この谷木の下端部には、軒先部分の屋根荷重を支持する軒谷木が、前記谷木の延長方向に連結されたことを特徴とする谷部の軒先構造。
【請求項４】
軒谷木は、谷木と同幅の断面寸法を有する主材と、この主材の両側面にそれぞれ添着された添材とからなり、各添材は主材よりも建物本体側に延出されて、この延出部分が谷木の各側面に重合した状態で谷木に対しビスまたは釘で固定されるとともに、
主材の天端と谷木の天端とが平帯状の補強金物を介して連結されたことを特徴とする請求項１に記載の谷部の軒先構造。
【請求項５】
軒先に面した軒桁またはこれに類する横架材と、建物本体側に設けられる棟木、棟束、小屋束、柱またはこれらに類する構造材との間に隅木または谷木を斜めに架設して、前記隅木または谷木の下端部を前記軒桁または前記横架材に連結した後、
前記隅木または谷木の下端部に、軒先部分の屋根荷重を支持する軒隅木または軒谷木を、前記隅木または谷木の延長方向に連結することを特徴とする隅部・谷部の軒先工法。
【発明の詳細な説明】
【０００１】
【発明の属する技術分野】
本発明は、木造またはこれに準じた木質系構造からなる屋根架構の、隅部や谷部における軒先構造と軒先工法に関する。
【０００２】
【従来の技術】
木質系の工業化住宅における屋根架構では、勾配屋根の隅部や谷部を、図７に示すような構造とするのが一般的である。図示の例は寄棟屋根等に形成される隅部であるが、２本の軒桁１（１ａ，１ｂ）、またはこれに類する横架材等が直交状態で接合された出隅角部Ａ上に、軒先まで延出する隅木２を斜めに載せ架けて固定する。隅木２の図示しない上端部は、棟木、棟束または小屋束（当該屋根が下層階の下屋根の場合は柱）等に接合する。そして、隅木２の両側面から前記各軒桁１にかけて、屋根の勾配方向に沿う複数本の垂木３を適宜間隔で取り付ける。垂木３も軒先まで延出させ、隅木２及び垂木３の先端を軒先母屋４等で水平方向に連結する。さらに、これらの垂木３に野地板や屋根パネル等を取り付ける。
【０００３】
このような屋根構造では、隅木２の断面形状が、単純な矩形ではなく、縦方向の中心面を境にして天端及び下端が両側に下り傾斜した山形状になるのが通常である。そのため、このような隅木２を軒桁１の出隅角部Ａに固定するに際しては、両材の接合面を特殊な形状に切欠加工して係合させたり、専用の接合金物を介して接合している。かかる接合構造は、例えば特許文献１〜５等に提案されている。
【０００４】
【特許文献１】
特開平７−３４５８５号公報
【特許文献２】
特開平７−３４５８６号公報
【特許文献３】
特開平７−３４５８７号公報
【特許文献４】
特開平１１−１９８６号公報
【特許文献５】
特開平１１−２４７３４５号公報
【０００５】
【発明が解決しようとする課題】
前記のような屋根構造では、軒先部分を精度良く仕上げるために、軒先の出寸法を厳密に調整する必要がある。この出寸法は、軒桁の位置が基準となる。軒先の出寸法調整に際しては、軒桁１の天端に現場で通り墨Ｘを打ち、隅木２の側面には軒先を基準にして割り出した腹墨Ｙを打って、隅木２の腹墨Ｙを軒桁１の通り墨Ｘに合わせる。隅木２が正確に位置決めされたならば、続いて垂木３も同様に位置決めする。
【０００６】
このような位置決め作業においては、当然ながら、隅木２自体を、軒桁１の出隅角部Ａ上に載架した状態で、材長方向に微小寸法ずつ移動させる作業が発生する。しかし、寸法の長大な隅木２を、足場の不自由な高所で、しかも斜め方向に位置決めするのは、相当の手間と困難を伴う作業である。
【０００７】
とりわけ近年では、工業化住宅の分野において部材のユニット化やパネル化が進み、接合部にも合理的な金物が多用されるようになって、小屋組架構のスパンや構造部材の断面寸法が大きくなる傾向にある。そのため、隅木等も長大化、大断面化しており、前記のような位置決め作業にも、さらなる工数を要している。
【０００８】
しかも、隅木２の固定が完了するまでは、垂木３や軒先母屋４等を取り付ける次工程に進むことができない。隅木２の位置決めに手間取ると、他の作業員の無駄な手待ち時間が発生することとなり、施工効率が低下してしまう。かかる実情は、屋根の隅部だけでなく、谷部についても全く同様である。
【０００９】
そこで本発明は、隅部や谷部において軒先の出寸法調整を容易に行いうる新規な軒先構造を提供し、屋根施工の効率化を図ることを解決課題とする。
【００１０】
【課題を解決するための手段】
本発明の隅部の軒先構造は、軒桁またはこれに類する横架材と、建物本体側の棟木、棟束、小屋束、柱またはこれらに類する構造材との間に隅木が斜めに架設され、この隅木の下端部が前記軒桁または前記横架材に連結されるとともに、この隅木の下端部には、軒先部分の屋根荷重を支持する軒隅木が、前記隅木の延長方向に連結されたことを特徴とする。
【００１１】
さらに、前記軒隅木は、隅木と同幅の断面寸法を有する主材と、この主材の両側面にそれぞれ添着された添材とからなり、各添材は主材よりも建物本体側に延出されて、この延出部分が隅木の各側面に重合した状態で隅木に対しビスまたは釘で固定されるとともに、主材の天端と隅木の天端とが平帯状の補強金物を介して連結されたことを特徴とする。
【００１２】
また、本発明の谷部の軒先構造は、軒桁またはこれに類する横架材と、建物本体側の棟木、棟束、小屋束、柱またはこれらに類する構造材との間に谷木が斜めに架設され、この谷木の下端部が前記軒桁または前記横架材に連結されるとともに、この谷木の下端部には、軒先部分の屋根荷重を支持する軒谷木が、前記谷木の延長方向に連結されたことを特徴とする。
【００１３】
さらに、前記軒谷木は、谷木と同幅の断面寸法を有する主材と、この主材の両側面にそれぞれ添着された添材とからなり、各添材は主材よりも建物本体側に延出されて、この延出部分が谷木の各側面に重合した状態で谷木に対しビスまたは釘で固定されるとともに、主材の天端と谷木の天端とが平帯状の補強金物を介して連結されたことを特徴とする。
【００１４】
また、本発明の隅部・谷部の軒先工法は、軒先に面した軒桁またはこれに類する横架材と、建物本体側に設けられる棟木、棟束、小屋束、柱またはこれらに類する構造材との間に隅木または谷木を斜めに架設して、前記隅木または谷木の下端部を前記軒桁または前記横架材に連結した後、前記隅木または谷木の下端部に、軒先部分の屋根荷重を支持する軒隅木または軒谷木を、前記隅木または谷木の延長方向に連結することを特徴とする。
【００１５】
【発明の実施の形態】
以下、本発明の実施の形態について、それぞれ図面を参照しつつ説明する。なお、前記従来の屋根構造（図７）に示した軒先部分の構成と共通する部位・部材には、共通の名称及び符号を使用する。
【００１６】
＜屋根架構＞
図１は、本発明の実施の形態にかかる変形勾配屋根の伏図であり、図２は、図１に示す屋根の小屋組架構を模式的に表した斜視図である。
【００１７】
図１及び図２において、符号１（１ａ，１ｂ，１ｃ，…）は軒桁またはこれに相当する梁などの横架材である。符号５は小屋梁で、符号６ａ，６ｂ，６ｃは前記小屋梁上に立設される小屋束及び棟束である。ただし、本説明においては、棟部を支持する棟束６ａ，６ｃと、それ以外の小屋束６ｂとを特に区別しない場合、これらを束材６と総称する。棟束６ａ同士、及び棟束６ｃ同士は、それぞれ棟木７（７ａ，７ｂ）を介して連結される。
【００１８】
この屋根は、３箇所の隅部と、１箇所の谷部を有する。隅部には隅木２（２ａ，２ｂ）が、谷部には谷木８が、それぞれ斜めに架設される。そして、棟木７、隅木２または谷木８から、各軒桁１にかけて、垂木３が架設される。以下、隅部・谷部の構造について、それぞれ詳述する。
【００１９】
＜隅部＞
図３〜図４は、隅部の詳細な構造を示す。例示の形態では、隅木２は、上部の隅木２ａと下部の隅木２ｂに分割され、上部の隅木２ａは棟束６ａと小屋束６ｂとの間に、下部の隅木２ｂは小屋束６ｂと出隅角部Ａとの間に、それぞれ架設されている。また、この形態では、隅木２と連結される棟束６ａ及び小屋束６ｂが、建物の通り心方向に対し軸回りに４５度、回動されて、束材６の側面が隅木２の材心と直交するように立設されている。
【００２０】
隅木２と束材６や軒桁１とは、図示のような鋼板製の接合金物９（９ａ，９ｂ，９ｃ）を介して連結される。束材６側の接合金物９ａ，９ｂは、背板の両側縁部から二片の連結板を突設させたもので、背板を束材６にボルト・ナット締結し、連結板を隅木２の端部に形成したスリットに挿入して、隅木２の側面からドリフトピンを打込むことにより、隅木２と束材６とを連結する。また、軒桁１側の接合金物９ｃは、ほぞパイプの一端に一片の連結板を突設させたもので、ほぞパイプを軒桁１に形成したほぞ孔に挿入してドリフトピンで固定し、連結板を隅木２の端部に形成したスリットに挿入してドリフトピンで固定する。
【００２１】
このように、本発明においては、隅木２の下端部が軒桁１までの長さに形成されて、軒先まで延出しない。したがって、前記のような接合金物９により、軒桁１や束材６との間に若干のクリアランスを設けて隅木２を連結すれば、隅木２を軒先の出寸法に合わせて位置決めする作業は不要になり、隅木２を容易かつ迅速に架設することができる。
【００２２】
また、この構造では、隅木２を軒桁１と束材６のみで支持しており、隅木２には母屋梁等の横架材が接合されない。そのため、隅木２の断面形状は、図４中に添付した断面図に示すように、下端を平坦にすることができ、天端にのみ山形状の傾斜面を形成すればよい。これにより、隅木２の部材加工が容易になり、軒桁１との連結部も、前記従来の技術に記載したような複雑な接合形態に比べて格段に簡素化される。
【００２３】
そして、軒桁１上に固定された隅木２の下端部に、本発明の要部をなす軒隅木２０が継ぎ足され、この軒隅木２０が軒先部分の屋根荷重を支持する。
【００２４】
軒隅木２０は、隅木２と同幅の断面寸法を有する主材２１と、この主材２１の両側面にそれぞれ添着された添材２２とからなる。主材２１と添材２２とは、接着またはビス止めによって強固に接合されている。主材２１及び添材２２の断面形状は、図４中の断面図に示すように、天端と下端とが、それぞれ山形状の傾斜面をなすように形成されている。
【００２５】
主材２１の長さは、出隅角部Ａから軒先ラインＺまでの出寸法に基づいて予め加工されており、主材２１と添材２２の先端は軒先ラインＺに合致するように揃えられている。添材２２の他端は主材２１よりも建物本体側に延出されており、この延出部分が隅木２の両側面に重ねられて、図示しないビスまたは釘で隅木２に固定される。この釘やビスは、添材２２の延出部分の範囲内で乱に打つことができる。さらに、主材２１の天端と隅木２の天端に平帯状の補強金物２３を重ね、これを主材２１及び隅木２にビス止めして、両者の接合部が補強される。
【００２６】
＜谷部＞
図５〜図６は、谷部の詳細な構造を示す。例示の形態にかかる谷木８は、１本の連続する部材で、棟束６ａと入隅角部Ｂとの間に架設される。谷木８と棟束６ａや軒桁１との接合部にも、前記隅部と同様の接合金物９が用いられる。谷部においても、谷木８の下端部が軒桁１までの長さに形成されるので、谷木８の架設に際して面倒な軒先の出寸法調整は必要ない。
【００２７】
そして、軒桁１上に谷木８が固定された後、谷木８の下端部に軒谷木８０が継ぎ足される。軒谷木８０も、前記した軒隅木２０と同様に、谷木２と同幅の断面寸法を有する主材８１と、この主材８１の両側面にそれぞれ添着された添材８２とからなる。主材８１及び添材８２の断面形状は、図６中に添付した断面図に示すように、天端と下端とが、それぞれ逆山形状の傾斜面をなすように形成されている。
【００２８】
主材８１の長さは、入隅角部Ｂから軒先ラインＺまでの出寸法に基づいて予め加工されており、主材８１と添材８２の先端は軒先ラインＺに合致するように揃えられている。添材８２の他端は主材８１よりも建物本体側に延出され、この延出部分が谷木８の両側面に重ねられて、ビスまたは釘で固定される。さらに、主材８１の天端と谷木８の天端に平帯状の補強金物２３を重ね、これを主材８１及び谷木８にビス止めして、両者の接合部が補強される。
【００２９】
このように、本発明では、隅部・谷部における軒先の出寸法を、隅木２・谷木８に継ぎ足される軒隅木２０・軒谷木８０によって調整する。これらの軒隅木２０・軒谷木８０は、隅木２や谷木８に比べて短く軽量なので、位置決め及び固定作業を容易かつ迅速に行うことができる。また、隅木２や谷木８が軒桁１上に載架されれば直ちに、垂木３や小屋組補強材等を架設する工程に進むことができるので、現場での無駄な手待ち時間も解消されて、施工効率が向上する。
【００３０】
【発明の効果】
本発明では、隅木や谷木を軒先に突出しない長さに形成して軒桁上に載架固定した後、その下端部に軒隅木や軒谷木を継ぎ足す構造を採用しているので、長大な隅木や谷木を位置決めする作業が不要になり、軒先の出寸法調整が容易になる。これにより、現場での施工効率が向上する。
【図面の簡単な説明】
【図１】本発明の実施の形態にかかる変形屋根の伏図である。
【図２】図１に示す変形屋根の小屋組架構を模式的に表した斜視図である。
【図３】図１の変形屋根における隅部の構造を示す側面図である。
【図４】同じく、隅部の構造を示す上面図である。
【図５】図１の変形屋根における谷部の構造を示す側面図である。
【図６】同じく、谷部の構造を示す上面図である。
【図７】従来の屋根架構における隅部の構造を示す斜視図である。
【符号の説明】
１    軒桁
２    隅木
２０  軒隅木
２１  主材
２２  添材
２３  補強金物
６    束材
７    棟木
８    谷木
８０  軒谷木
８１  主材
８２  添材
【図１】
2004225301.tif 000003
【図２】
2004225301.tif 000004
【図３】
2004225301.tif 000005
【図４】
2004225301.tif 000006
【図５】
2004225301.tif 000007
【図６】
2004225301.tif 000008
【図７】
2004225301.tif 000009